(57)【特許請求の範囲】
【請求項１】
浴室出窓の下の外壁に給湯機器を固定するための箱型構造体において、
上記箱型構造体は、骨組と、該骨組に取り付けられる化粧カバーとを有し、
上記化粧カバーは、サイドカバー及びフロントカバーから成り、
上記サイドカバーは、その上部のサイドカバー固定板が浴室出窓の底部に当接するような状態で固定されており、しかも上記外壁の仕上げ厚みに応じて水平方向にスライド可能で、骨組に対する取り付け位置が調整できることを特徴とする給湯機器用箱型構造体。
【請求項２】
上記給湯機器は横向きの排気カバーが付設されたものであり、
上記給湯機器の排気が上記浴室出窓側に向かうことなく側方に案内されるように、上記横向きの排気カバーは、筒型でその一端のみが開口しており、上記化粧カバーから突出した状態で配設されている構成であることを特徴とする請求項１記載の給湯機器用箱型構造体。
【発明の詳細な説明】
【０００１】
【発明の属する技術分野】
本発明は、浴室出窓の下の外壁に、給湯器（給湯ボイラーー）又は給湯器付き風呂釜（以下、これらを「給湯機器」という）を固定するための箱型構造体に関し、特に箱型構造体自体の構造に関する。
【０００２】
【従来の技術】
浴室出窓の下方に、給湯ボイラーーや風呂釜を設置し、出窓下のデッドスペースを有効に利用することが一般的に行われている。又、出窓付きシステムバスの一部として出窓とともに一体で外部に張り出した函体や収納部内に給湯手段や燃焼機器等を配設する構成は知られている（実公平３−４６８１号公報、特開昭６０ー２３５７７号公報等参照。）。
【０００３】
【発明が解決しようとする課題】
従来の上記浴室出窓の下方に給湯ボイラーーや風呂釜を設置した構成であると、風呂釜の機械的外観や風呂釜と浴室を接続する水・湯配管がむき出しとなっており、建物の景観を損なっていた。風呂釜の配管を遮蔽する手段として、配管カバーが利用されているが、配管だけを遮蔽するものにすぎず、風呂釜、配管類を全体的にカバーし、建物との一体感を持たせるものとしては十分ではない。
【０００４】
又、出窓とともに一体的に外部に張り出した給湯手段等を配設する函体等は、あくまでもシステムバスと一体であるから、コスト高となるとともに、その取り付け工事は大々的に行わなくてはならず、特に既設の建物に施工する場合は、その外壁等を全面的に壊したり補修したりする必要があり、比較的低コストで手軽に取り付けることはできない。
【０００５】
ところで、従来の出窓付きシステムバスにおいて、出窓の下方に給湯機器を単独に配設する構成では、出窓下の給湯機器の建物に対する取り付け位置が決められているものでなく、又給湯機器から伸びる配管類の取り付ける位置も一定ではないために、出窓付きシステムバスの取り付け工事では、従来は、システムバス取り付け業者がシステムバスを取り付け、給湯機器取り付け業者が給湯機器を取り付け、水道業者が水道配管をするというように、夫々ばらばらに行っていた。そのために夫々の業者の予定等の調整が必要であり、工期が伸びてしまうという問題があった。
【０００６】
特に、既設住宅への出窓付きシステムバスの取り付け工事は、そこに住む需要者の一日も早い浴室の利用を考慮すると、短期に仕上げることが重要であり、システムバス取り付け業者によるシステムバスの一括の取り付けが要請されているところである。
【０００７】
本発明は、上記従来の問題や要求を解決することを基本的な課題とするものであり、具体的には、つぎのような課題を有する。
（１）システムバスや浴室出窓と一体的ではなく、浴室出窓の下の建物の外壁に、給湯器や給湯器付き風呂釜等の給湯機器、配管類、オプション機器等を、外部に全て露出して景観を損なうようなことなく、すっきり固定して配設し、しかも浴室出窓と一体感を持ち、建物全体の外観がスマートとなるように給湯機器等を配設する。
（２）施工対象の建物の外壁の仕上げ厚みが異なっていても、取付作業を簡単に行えるようにして、作業効率を向上する。さらに、給湯機器から排出される排気ガスが出窓方向に流れないようにする。
【０００８】
【課題を解決するための手段】
本発明は、上記課題を解決するために、浴室出窓の下の外壁に給湯機器を固定するための箱型構造体において、上記箱型構造体は、骨組と、該骨組に取り付けられる化粧カバーとを有し、上記化粧カバーは、サイドカバー及びフロントカバーから成り、上記サイドカバーは、その上部のサイドカバー固定板が浴室出窓の底部に当接するような状態で固定されており、しかも上記外壁の仕上げ厚みに応じて水平方向にスライド可能で、骨組に対する取り付け位置が調整できることを特徴とする給湯機器用箱型構造体を提供する。
【００１１】
上記給湯機器は横向きの排気カバーが付設されたものであり、上記給湯機器の排気が上記浴室出窓側に向かうことなく側方に案内されるように、上記横向きの排気カバーは、筒型でその一端のみが開口しており、上記化粧カバーから突出した状態で配設されている構成としてもよい。
【００１２】
【発明の実施の形態】
本発明に係る給湯機器用箱型構造体（以下、単に「箱型構造体」という。）の実施の形態を実施例に基づいて図面を参照して説明する。本発明に係る箱型構造体は、給湯機器（上記のとおり「給湯器や給湯器付き風呂釜」のことを言う。）、給湯機器に付設する配管類、場合によってはオプション機器を収納し、建物の外壁に取り付けるためのものである。
【００１３】
（実施例１）
図１〜３は、本発明に係る箱型構造体の実施例を説明する図である。図１は、箱型構造体１を、浴室出窓２の下に取り付けた状態を全体的に示す図であり、図１（ａ）は斜視図であり、図１（ｂ）はそのＡ−Ａ断面図である。浴室出窓２は、この実施例１では、バスユニット３と一体的に形成されており、建物４の外壁５を貫通するように外部に張り出して配設されている。この浴室出窓２は、浴槽６の前端部７が、外壁５を越え外側に伸び、さらに浴室出窓２の棚部へと連成しているために、同じ床面積でも浴室や浴槽６をひとまわり大きくすることができる。
【００１４】
本発明に係る箱型構造体１は、このような浴室出窓２の下に連続するように取り付けられている構成が特徴である。この構成により、浴室出窓２の下のデッドスペースが有効に活用されるとともに、給湯機器、配管類、オプション機器等を建物の外部に露出して建物の景観を損なうようなことをなく、すっきりと収納し、浴室出窓２と箱型構造体１が一体感を持ち、建物全体の外観をスマートにする。
【００１５】
図２は、箱型構造体１の構成、及びこの箱型構造体１が取り付けられる建物４における浴室出窓２の近辺の構造を示す図である。図２（ａ）において示すように、箱型構造体１は、骨組８、左右のサイドカバー９、フロントカバー１０、１１（この実施例では、長方形フロントカバー１０とコの字型フロントカバー１１から成る。）、断面Ｌ型の左右の骨組固定板１２、及び左右上下のサイドカバーの固定板１３、１３’等から主に構成される。骨組８は、左右のサイドカバー固定枠１４、１４を、その間に水平に配設した、前部底板１５、前部上板１６及び後部底板１７で結合して組立てられている。
【００１６】
図２（ｂ）において、浴室出窓２は、建物４の土台上の左右の柱１８、１８の間に取り付けられている。そして、左右のサイドカバー固定枠１４の建物側の枠１９の外側面には、夫々骨組固定板１２がビスで取り付けられている。さらに、左右のサイドカバー固定枠１４の上下部枠２０、２０’の上下面には、サイドカバー固定板１３、１３’が夫々ビスで固定されている。
【００１７】
左右のサイドカバー９の上下部の前後には、夫々水平方向に長いビス止め用の長孔２１が形成されおり、サイドカバー９は、箱型構造体１の組立時に、ビスをこの長孔２１を通したビスでサイドカバー固定板１３、１３’に固定される。矩形のフロントカバー１０とコの字型フロントカバー１１は、箱型構造体１の組立時に、ビスによりカバー固定用の前部底板１５、前部上板１６及び左右のサイドカバー固定枠１４の前面に固定される。
【００１８】
以上の構成から成る箱型構造体１を浴室出窓２の下に取り付ける場合には、図２（ｂ）、図３（ａ）に示すように、上部のサイドカバー固定板１３が浴室出窓２の底部に当接するような状態で、骨組固定板１２を建物の柱等の構造物にビス止めして骨組８を建物の柱１８に固定する。
【００１９】
そして、給湯機器２２、配管類、オプション等を骨組８内に配設してから（この配設はサイドカバー９を取り付けた後でもよい。）、左右のサイドカバー９をサイドカバー固定板１３、１３’にビス止めするとともに、フロントカバー１０、１１を前部底板１５、前部上板１６、サイドカバー固定枠１４の前面にビス止めする。
【００２０】
ところで、骨組８を骨組固定板１２によって建物４の柱１８にビス止めして取り付けてから、図３（ｂ）に示すように、この骨組固定板１２を含め左右のサイドカバー固定枠１４の建物側の枠１９ごと外壁仕上げ２３により覆ってしまう。しかし、外壁仕上げの厚みｔは建物によって異なる。そこで、サイドカバー９は、外壁仕上げ２３の面に当接するように、外壁仕上げも厚みｔに応じて、サイドカバー固定枠１４（実際はサイドカバー固定板１３、１３’）への取付位置を調整する必要がある。
【００２１】
本発明に係る箱型構造体１のサイドカバー９は、ビス孔として長孔２１を形成したので、図３（ｂ）、（ｃ）に示すように、サイドカバー９をサイドカバー固定板１３、１３’に取り付けた状態で、前後方向にスライドして水平移動し、サイドカバー９を外壁仕上げ２３の外面にぴったりと当接するように調整することができる。従って、本発明に係る箱型構造体１のサイドカバー９は、取り付け対象建物ごとに外壁仕上げ厚みｔが異なっていても、サイドカバー９の取り付け位置の調整が簡単であり、施工現場で作業効率を向上させる。
【００２２】
図４は、実施例１の箱型構造体１の一つの実施の態様を示す図である。給湯機器２２に、その排気を側方や上方等に案内する各種のタイプの排気カバーが取り付けられる場合がある。例えば、図４（ａ）では、給湯機器２２に側方に案内する横向きの排気カバー（「側方カバー」ともいう。）２４が取り付けられ、箱型構造体１内に配設された状態を示している。この排気カバー２４は、略筒型をしており、その一端（図４（ｂ）では右の端部）のみが開口している。この排気カバー２４は、給湯機器２２の前面にビス等で適宜取り付けられている。
【００２３】
このように排気カバー２４が取り付けられた給湯機器２２を、箱型構造体１内に設置し、矩形状のフロントカバー１０及びコの字型フロントカバー１１を骨組８に取り付けると、図４（ｂ）に要部を示すように、コの字型フロントカバー１１から前方に排気カバー２４が突出した状態で、給湯機器及び排気カバーを箱型構造体１内に配設することが可能となる。これにより、給湯機器２２の排気は、上方の浴室出窓２に向かうことなく、側方へ案内されるから、排気による浴室出窓２への汚れや曇り等を防止できる。
【００２４】
即ち、本発明に係る箱型構造体１は、このように給湯機器２２の前面に排気カバー２４が取り付けられていても、その排気カバー２４を外部に突出して配設可能な構成（例えば、図４の例では排気カバーを突出可能とする形状のコの字型フロントカバーを採用した構成）とすることで、給湯機器２２の排気を浴室出窓２に向かわないようにでき、しかも、図４（ｃ）に示すように、排気カバーを設けたことで、建物全体としても外観を損なうようなこともない。
【００２５】
なお、図４では、給湯機器の前面に取り付けたフロントカバーから前方に突出する横向きの排気カバーの例を示したが、各種タイプの排気配管を、給湯機器の上面や側面に取り付け、サイドカバー９から側方に排気する構成とすることも可能である。
【００２６】
（実施例２）
図５は、本発明の実施例２を説明する図であり、この実施例２は、実施例１において説明した箱型構造体１であって、その内部に予め入れ付け（箱型構造体内に予め装備された）された配管類の構造（配管構造）を有することを特徴とするものである。図５は、配管類が入れ付けされた箱型構造体１の内部を前方から見た状態を示しており、この箱型構造体１は、すでに浴室出窓２の下に取り付けられ、浴室や水道栓等室内室外の配管が接続施工されている状態をして示している。
【００２７】
図５において、二本の柱１８の間に位置して浴室出窓２が配設されている。この浴室出窓２の底部に接して箱型構造体１が、左右の骨組固定板を柱１８にビス等で固定されて取り付けられている。箱型構造体１内の右側のスペースに給湯器付き風呂釜２５が配設され、残りの右側のスペースに、ガス配管２６が予め入れ付けされて取り付けられているとともに、給水接続管２７、追焚接続管（送り管、戻り管）２８、給湯接続管２９等の配管類３０が取り付けられている。
【００２８】
実施例２の箱型構造体１の特徴は、箱型構造体１内に、予め配管類３０が入れ付けされている構成である。この入れ付けされる配管類３０は、箱形構造体内で接続するための適当な配管長さと締め付けナットを有し、配管分岐部材も含んでいる。さらに、この箱型構造体１の特徴は、この給湯接続管、給水接続管、追焚接続管等の先端の位置、即ち、屋内屋外の配管類、即ち、給湯管、給水管、あるいは追焚配管への箱型構造体１における接続位置が予め一定の個所に設定されている配管構造である。この実施例２の箱型構造体１内の配管構造の例では、配管類３０は、給湯機器から上記給湯管等の浴室配管へ向かって上方に伸設され、箱型構造体１の左上に浴室配管の接続位置３１が予め設定されている。
【００２９】
このような配管構造を有する箱型構造体１を利用すれば、配管類の接続位置３１が予め明確で、入れ付けされている配管類３０は適当な配管長さと締め付けナットとを有し、配管分岐部材も含んでいるから、給水接続管２７、追焚接続管２８、給湯接続管２９等の取付が簡単となる。従来は、システムバス取り付け業者がシステムバスを取り付け、給湯機器取り付け業者が給湯機器を取り付け、水道業者が水道配管をするというように、夫々がばらばらに作業行っていたが、配管類の接続位置が明確な箱型構造体１を利用すれば、システムバス取り付け業者が、一括してシステムバスの取り付け、給湯機器の取り付け、水道配管の全て行うことができる。
【００３０】
（実施例３）
図６は、本発明の実施例３を説明する図であり、この実施例３は、箱型構造体１内において予め入れ付けされた配管構造を有する点で、実施例２と同様の構成であり、特に、予め入れ付けされた例えば給水接続管２７、追焚接続管２８、給湯接続管２９等の配管類を、屋内屋外の給水管、追焚配管、給湯管等へ接続する箱型構造体１における接続位置３１を実施例２同様に、図中左上に設定した点も実施例２と同様である。
【００３１】
しかし、この実施例３では、接続位置３１と給湯器付き風呂釜２５との間に積極的に空きスペースＳを確保するように、給湯器付き風呂釜２５及び配管類を全体的に調整し、配管構造を予め入れ付けした構成を特徴としている。このようにして確保された空きスペースにオプション機器及びそのオプション機器に接続される配管類が配設可能に構成されている。
【００３２】
オプション機器としては、例えばこの実施例３では、給湯器付き風呂釜から湯を洗濯機に注湯する注湯ユニット３２、及び浴室内の暖房乾燥機に湯を送る暖房乾燥ユニット３３が配設されている。その他オプション機器としては、例えば、浴室、キッチン及び洗面等の給湯設備間を循環させ、即出湯を可能とする出湯コントロールユニット等がある。
【００３３】
以上、本発明の実施の形態を実施例に基づいて説明したが、本発明は、以上の実施例に限定されることなく、特許請求の範囲記載の技術的事項の範囲内においていろいろな実施例があることは言うまでもない。
【００３４】
【発明の効果】
上記構成である本発明によると、次のような効果を奏する。
（１）システムバスや浴室出窓とは一体ではないが、浴室出窓の下の建物の外壁に、そのデッドスペースを有効活用し、給湯器や給湯器付き風呂釜等の給湯機器、配管類、オプション機器等を、外部に全て露出して景観を損なうようなことなく、すっきりと固定して配設し、さらに浴室出窓と一体感を持ち、建物全体の外観をスマートとなるように配設することができる。
【００３５】
（２）この箱型構造体は、その取付施工に際しては、給湯機器等が配設される浴室出窓の下建物の外壁の仕上げ厚みに柔軟に対応可能であり、作業効率を向上することができる。さらに、給湯機器から排出される排気ガスが出窓方向に流れないようにすることができる。
【図面の簡単な説明】
【図１】本発明に係る給湯機器の箱型構造体の取付状況を示す図である。（ａ）は斜視図であり、（ｂ）は（ａ）のＡ−Ａ断面図である。
【図２】本発明に係る給湯機器の箱型構造体の実施例１を示す図である。
【図３】本発明に係る給湯機器の箱型構造体の実施例１を示す図であり、特に、箱型構造体の取付を説明する図である。
【図４】本発明に係る給湯機器の箱型構造体の実施例１のさらに具体的な実施の態様の一つを示す図である。
【図５】本発明に係る給湯機器の箱型構造体の実施例２を示す図である。
【図６】本発明に係る給湯機器の箱型構造体の実施例３を示す図である。
【符号の説明】
１    箱型構造体
２    浴室出窓
３    バスユニット
４    建物
５    外壁
６    浴槽
８    箱型構造体の骨組
９    サイドカバー
１０    矩形のフロントカバー
１１    コの字型フロントカバー
１２    骨組固定板
１３、１３’  左右上下のサイドカバー固定板
１４    左右のサイドカバー固定枠
２１    ビス止め用の長孔
２２    給湯機器
２３    外壁仕上げ
２４    排気カバー
２５    給湯器付き風呂釜
２６    ガス配管
２７    給水接続管
２８    追焚接続管
２９    給湯接続管
３０    配管類
３１    接続位置
３２    注湯ユニット
３３    暖房乾燥ユニット
【図１】
0003589150.tif 000002
【図２】
0003589150.tif 000003
【図３】
0003589150.tif 000004
【図４】
0003589150.tif 000005
【図５】
0003589150.tif 000006
【図６】
0003589150.tif 000007